(57)【要約】      （修正有）【課題】ハリスとその先の仕掛けの交換作業を、誰でも、時間をかけることなく容易に行うことが可能なハリス連結具を提供する。【解決手段】ハリス側端１２と道糸側端１３とを有する釣り糸１１と、釣り糸が挿通される貫通穴を備えて、釣り糸沿いに自由に移動可能な第１の粒状体１５と、道糸側端に位置する第２の粒状体１８と、によってハリス連結具１０を構成し、第１の粒状体の表面を、滑らかな曲面によって形成する。ハリス連結具の道糸側端部分を、道糸３０の先端部分に形成した環状部分３２に連結する。ハリスと道糸との間に張力が働いている状態では、環状部分を通ったハリス連結具のループ１４に、第１の粒状体が絡まって、連結が解放されない。張力が働かない状態で第２の粒状体を引っ張ると、滑らかな表面を有する第１の粒状体は、ループ１４から滑って外れる。【選択図】図６
0003198111.tif 000002
【実用新案登録請求の範囲】
【請求項１】
ハリス側端と道糸側端とを有する釣り糸と、
前記釣り糸が挿通されている貫通穴を備えて、前記釣り糸沿いに自由に移動可能な第１の粒状体と、
前記第１の粒状体よりも道糸側端側において前記釣り糸に取り付けられた第２の粒状体と、を、有し、
前記第１の粒状体の表面が、滑らかな曲面によって形成されていることを特徴とするハリス連結具。
【請求項２】
前記第１の粒状体の粒径が、前記釣り糸の道糸側端が接続される道糸に設けられたサルカンの環状部の内径よりも、大きな寸法であることを特徴とする請求項１に記載のハリス連結具。
【請求項３】
前記第１の粒状体の表面形状と、前記第２の粒状体の表面形状と、が互いに異なることを特徴とする請求項１または請求項２に記載のハリス連結具。
【請求項４】
前記第１の粒状体の表面が有する色彩と、前記第２の粒状体の表面が有する色彩と、が互いに異なることを特徴とする請求項１から請求項３のうちのいずれかに記載のハリス連結具。
【考案の詳細な説明】
【技術分野】
【０００１】
本考案は、道糸とハリスとを連結する際に使用するハリス連結具に関する。
【背景技術】
【０００２】
従来、魚釣り用の仕掛けにおいては、道糸の先端又は中間の位置にハリスの末端が連結され、さらに、ハリスの先端に釣り針が取り付けられている（例えば、特許文献１あるいは非特許文献１を参照）。
一般に、ハリスは、細いほど餌が潮の流れに馴染みやすく、魚に警戒されないためにもできるだけ細いハリスを用いると良いとされている。
【先行技術文献】
【特許文献】
【０００３】
【特許文献１】特開平１０−０６６４９１号公開公報
【非特許文献】
【０００４】
【特許文献１】“グレ釣り、タックル・仕掛けと釣り方”、［ｏｎｌｉｎｅ］、［平成２７年２月６日検索］、インターネット＜ＵＲＬ：ｈｔｔｐ：／／ｇｕｒｅ−ｔｉｎｕ−ｈｉｔｏｒｉ．ｓａｋｕｒａ．ｎｅ．ｊｐ／ｇｕｒｅ＿ｔａｃｕｒｕ−ｔｕｒｉｋａｔａ−ｔｏｐ．ｈｔｍ＞
【考案の概要】
【考案が解決しようとする課題】
【０００５】
例えば、海で釣りをしているときには、海底の岩石や海草或は堆積物に釣り針が根掛かりして、道糸を巻上げることができなくなることがある。このような場合、釣り人はハリスを途中から切断し、ハリスの先端側部分を仕掛けと共に放棄せざるを得ないことが多い。また、釣り針にかかった魚が岩場に逃げ込んだ場合、ハリスが海底の岩石にこすれて切断し、ハリスの先端側部分が仕掛けと共に失われることになりやすい。
【０００６】
ハリスが切断し、ハリスの先端側部分が仕掛けと共に失われてしまった場合、釣り人は、道糸に残った古いハリスを取り外し、新しいハリスを仕掛けと共に道糸に連結し直さなければならない。
道糸にハリスを直接結びつけて連結している場合、釣り人は、ハサミやナイフを使って、道糸の先端部分を古いハリスと共に切断し、改めて新しいハリスを道糸の先端に結びつけなくてはならない。また、サルカンを介して道糸にハリスを連結している場合、釣り人は、ハサミやナイフを使って、サルカンの環状部からこの環状部に結びつけられている古いハリスを取り除く。そして、改めて新しいハリスをサルカンの環状部に結びつけなくてはならない。
【０００７】
前述した理由により、普通、ハリスは非常に細い。このため、ベテランの釣り人であっても、新しいハリスを道糸に連結し直す作業には、時間がかかりやすい。ましてや、根掛かりしやすい場所で釣りをしている場合、途中で切断した古いハリスと新しいハリスとの交換を頻繁に行わねばならず、この交換作業に時間を取られ、肝心の釣りに費やす時間が短縮されてしまう。このようなハリスの頻繁な交換作業は、釣り人に大きなストレスを与える原因になりかねない。
【０００８】
本考案は、上記問題を解決するものであり、その目的とするところは、ハリスとその先の仕掛けの交換作業を、誰でも、時間をかけることなく容易に行うことを可能にするハリス連結具を提供することである。
【課題を解決するための手段】
【０００９】
本考案は、その課題を解決するために以下のような構成をとる。
請求項１の考案に係るハリス連結具は、ハリス側端と道糸側端とを有する釣り糸と、前記釣り糸が挿通されている貫通穴を備えて、前記釣り糸沿いに自由に移動可能な第１の粒状体と、前記第１の粒状体よりも道糸側端側において前記釣り糸に取り付けられた第２の粒状体と、を、有し、前記第１の粒状体の表面が、滑らかな曲面によって形成されていることを特徴とする。
【００１０】
予め、釣り人は、ハリス連結具の釣り糸のハリス側端部分と、ハリスの釣り針と反対側にある釣り糸の端部分と、を、結ぶ等して連結しておく。そして、釣り人は、本願考案者が考え出した連結方法を用いて、ハリス連結具の釣り糸の道糸側端部分を、道糸の先端部分に形成した環状部分に連結する。
この本願考案者が考え出した連結方法の詳細については、後述する。そして、この本願考案者が考え出した連結方法のことを、以下、単に「連結方法」と称する。
【００１１】
ハリス連結具の釣り糸の道糸側端部分と、道糸と、を、連結方法により連結することは、誰もが極めて簡単かつ迅速に行える。
ハリス連結具の釣り糸の道糸側端部分と、道糸と、が、連結方法により連結されており、ハリスと道糸との間に張力が働いている状態にあっては、道糸の先端の環状部分を通ったハリス連結具の釣り糸によって形成されたループに、第１の粒状体が、絡まって引っ掛かっている。そして、ハリスと道糸との間に張力が働いている限り、ハリス連結具の釣り糸の道糸側端部分と、道糸と、の間の連結が、解放されてしまうことはない。
【００１２】
ハリスと道糸との間に張力が働かない状態において、釣り人が、第２の粒状体を引っ張ると、滑らかな曲面の表面を有する第１の粒状体は、環状部分を通ったハリス連結具の釣り糸によって形成されたループから滑って外れる。そして、ハリス連結具の釣り糸の道糸側端部分と、道糸と、の間の連結が、解放される。すなわち、ハリス連結具の釣り糸の道糸側端部分と、道糸と、の連結を、誰もが極めて簡単かつ迅速に解放することができる。
【００１３】
したがって、釣り人が、使っていた古いハリスやその先の仕掛けを新しいものに交換しなければならない場合、まず、第２の粒状体を引っ張り、ハリス連結具の釣り糸の道糸側端部分と、道糸と、の連結を解放し、その後、改めてハリス連結具を連結しておいた新しいハリスを、連結方法を用いて、道糸の先端に連結すれば良い。
ハリス連結具を用いることによって、ハリスとその先の仕掛けの交換を、誰もが極めて簡単かつ迅速に行える。
【００１４】
なお、第１の粒状体は、その中心にハリス連結具の釣り糸を挿通する貫通穴を有し、第１の粒状体がハリス連結具の釣り糸沿いに自由に動ければ良い。また、第１の粒状体の表面は、滑らかな曲面によって形成されていれば良い。このため、第１の粒状体の外形は、例えば、球形であっても良いし、卵形をしていても良い。
また、第２の粒状体は、例えば、ハリス連結具の釣り糸の道糸側端に固定されていれば良い。あるいは、第２の粒状体は、その中心にハリス連結具の釣り糸を挿通する貫通穴を有し、第２の粒状体が釣り糸から脱落することを防止するコブが、ハリス連結具の釣り糸の道糸側端部分に形成されていても良い。
【００１５】
請求項２の考案に係るハリス連結具は、請求項１に記載のハリス連結具であって、前記第１の粒状体の粒径が、前記釣り糸の道糸側端が接続される道糸に設けられたサルカンの環状部の内径よりも、大きな寸法であることを特徴とする。
【００１６】
道糸の先端にサルカンを設け、このサルカンの環状部と、ハリス連結具の釣り糸の道糸側端部分と、を、連結方法により連結することも可能である。この場合、第１の粒状体の粒径が、サルカンの環状部の内径よりも大きな寸法であれば、第１の粒状体がサルカンの環状部を潜り抜けることを防止でき、ハリス連結具の釣り糸の道糸側端部分と、道糸と、を、容易にしっかりと連結しておくことができる。
【００１７】
請求項３の考案に係るハリス連結具は、請求項１または請求項２に記載のハリス連結具であって、前記第１の粒状体の表面形状と、前記第２の粒状体の表面形状と、が互いに異なることを特徴とする。
【００１８】
第１の粒状体の表面形状と、第２の粒状体の表面形状と、が、互いに異なっていれば、釣り人は、触っただけで、あるいは見ただけで、第１の粒状体と第２の粒状体を容易に区別できる。釣り人は、ハリス連結具の釣り糸の道糸側端部分と、道糸と、の連結を解放する際、間違えずに素早く第２の粒状体を引っ張ることができる。
【００１９】
請求項４の考案に係るハリス連結具は、請求項１から請求項３のうちのいずれかに記載のハリス連結具であって、前記第１の粒状体の表面が有する色彩と、前記第２の粒状体の表面が有する色彩と、が互いに異なることを特徴とする。
【００２０】
第１の粒状体の表面の色彩と、第２の粒状体の表面の色彩と、が、互いに異なっていれば、釣り人は、見ただけで第１の粒状体と第２の粒状体を容易に区別できる。釣り人は、ハリス連結具の釣り糸の道糸側端部分と、道糸と、の連結を解放する際、間違えずに素早く第２の粒状体を引っ張ることができる。
【考案の効果】
【００２１】
上記のようなハリス連結具であるので、ハリスとその先の仕掛けの交換作業を、誰でも、時間をかけることなく容易に行うことが可能である。
【図面の簡単な説明】
【００２２】
【図１】ハリス連結具の構成図である。
【図２】ハリスを連結したハリス連結具と、道糸と、の間を連結する手順を示す第1の説明図である。
【図３】ハリスを連結したハリス連結具と、道糸と、の間を連結する手順を示す第２の説明図である。
【図４】ハリスを連結したハリス連結具と、道糸と、の間を連結する手順を示す第３の説明図である。
【図５】ハリスを連結したハリス連結具と、道糸と、の間を連結する手順を示す第４の説明図である。
【図６】ハリスを連結したハリス連結具と、道糸と、の間を連結する手順を示す第６の説明図である。
【図７】ハリスを連結したハリス連結具と、道糸と、の間が連結された状態を示す説明図である。
【図８】ハリスを連結したハリス連結具と、道糸と、の間の連結を解放する手順を示す第１の説明図である。
【図９】ハリスが連結したハリス連結具と、道糸と、の間の連結を解放する手順を示す第２の説明図である。
【考案を実施するための形態】
【００２３】
本考案に係るハリス連結具１０を図１〜図９を参照しつつ説明する。
図１に示すように、ハリス連結具１０は、釣り糸１１、第１の粒状体１５及び第２の粒状体１８を有している。釣り糸１１の長さは、特に限定されないが、例えば、５ｃｍから１５ｃｍ程度の長さがあれば充分である。
釣り糸１１の一端が、ハリス側端１２をなし、他端が、道糸側端１３をなしている。
【００２４】
第１の粒状体１５は、球形をなし、第１の粒状体１５の表面は、滑らかな曲面によって形成されている。また、第１の粒状体１５は、その中心を通る貫通穴１６を有している。釣り糸１１が、貫通穴１６に挿通されており、第１の粒状体１５は、釣り糸１１に沿って自由に移動可能に構成されている。
第２の粒状体１８は、略円筒形をなしており、釣り糸１１の道糸側端１３に固定されている。
【００２５】
以上が、ハリス連結具１０の構成である。次に、ハリス連結具１０の作用効果について説明する。
図２に示すように、釣り人は、最初に、ハリス２０と、釣り竿（図示せず）のリール（図示せず）に巻き取られている道糸３０と、ハリス連結具１０と、を、準備する。ハリス２０は、釣り糸２１と、釣り糸２１の先端に取り付けた釣り針（図示せず）等の仕掛けと、を、有する。また、釣り人は、道糸３０をなす釣り糸３１の先端に、釣り糸３１によって環状部分３２を形成する。
【００２６】
そして、釣り人は、ハリス連結具１０の釣り糸１１のハリス側端１２部分と、ハリス２０をなす釣り糸２１の釣り針と反対側の道糸側端２２部分と、を、結んで連結する。以下、このように、ハリス連結具１０とハリス２０とが連結されているものを、ハリス連結体４０と称する。釣りに先立って、釣り人は、複数本のハリス連結体４０を準備しておく。
例えば、釣り船に乗船した釣り人は、釣りを開始するに際して、１本のハリス連結体４０と、道糸３０の環状部分３２と、を、以下に述べる連結方法によって連結する。
【００２７】
図３に示すように、釣り人は、先ず、１本のハリス連結体４０を手に取り、第１の粒状体１５を、釣り糸１１の道糸側端１３の方に寄せる。そして、第１の粒状体１５とハリス側端１２との間に位置する釣り糸１１を、略Ｕの字形に曲げてループ１４を形成する。このループ１４を、道糸３０の先端の環状部分３２に通して引き出す。
次いで、図４に示すように、釣り人は、環状部分３２を通って引き出されたループ１４の内側に、第１の粒状体１５を置き、ループ１４の外側に第２の粒状体１８を置く。
【００２８】
次いで、図５に示すように、釣り人は、ループ１４の中央部分近傍にある突端部分１４Ｔを、第１の粒状体１５を越えるようにして、ループ１４の両端部分近傍にある脚部分１４Ｆ側に折り返す。そして、第１の粒状体１５をループ１４に引っ掛けた状態とする。このとき、第１の粒状体１５と第２の粒状体１８は、ともにループ１４の外側に位置する。
次いで、図６に示すように、釣り人は、道糸３０によってハリス連結具１０を引っ張るとともに、ハリス２０によってハリス連結具１０を引っ張る。ハリス連結具１０の釣り糸１１に働く張力によって、ループ１４は、小さくなり、第１の粒状体１５は、釣り糸１１沿って第２の粒状体１８の方へ移動していく。なお、釣り人は、第１の粒状体１５が、ループ１４を潜り抜けないように気を付ける。
【００２９】
次いで、図７に示すように、道糸３０とハリス２０によってハリス連結具１０をそのまま引っ張ることによって、ループ１４は、さらに小さくなり、第１の粒状体１５は、僅かな距離をおいて第２の粒状体１８に近接した状態となる。また、道糸３０の先端の環状部分３２は、ハリス連結具１０に細長く引っ張られた状態となる。この結果、第１の粒状体１５は、小さくなったループ１４に絡まって引っかかり、ループ１４から外れなくなり、第１の粒状体１５と第２の粒状体１８との間に位置する釣り糸１１も、小さくなったループ１４に絡まって引っかかった状態となる。また、環状部分３２は、細長く引っ張られているので、第１の粒状体１５が環状部分３２を通り抜けることはない。
【００３０】
したがって、道糸３０とハリス２０とは、ハリス連結具１０を介して互いにしっかりと連結された状態になる。道糸３０側からハリス連結具１０に張力がかかり、とハリス２０側からもハリス連結具１０に張力がかかっていれば、ハリス連結体４０と道糸３０との間の連結が解放されてしまうことはない。
以上が、ハリス連結体４０と道糸３０との間を連結する手順（すなわち、ハリス連結具１０を介して道糸３０とハリス２０との間を連結する手順）である。
【００３１】
ハリス連結体４０と道糸３０とを連結する場合、釣り糸１１で形成したループ１４を環状部分３２に通し、このループ１４に第１の粒状体１５を引っ掛けて絡め、ハリス連結体４０に道糸３０側とハリス２０側の双方から張力をかけさえすれば良い。このために必要な作業は、極めて簡単なものである。すなわち、誰でも簡単かつ迅速に、ハリス連結具１０を介して道糸３０とハリス２０とを連結することができる。
【００３２】
次に、ハリス連結体４０と道糸３０との連結を解放する手順について説明する。
図８に示すように、釣り人は、ハリス連結具１０に道糸３０側からもハリス２０側からも張力がかからない状態をつくる。そして、道糸３０に連結されたハリス連結具１０の第２の粒状体１８を指で引っ張る。このとき、第１の粒状体１５の外形と、第２の粒状体１８の外形とは、互いに異なっている。このため、釣り人は、第１の粒状体１５と第２の粒状体１８を間違えることなく、正しく第２の粒状体１８を引っ張ることができる。
【００３３】
釣り人が第２の粒状体１８を引っ張ると、第１の粒状体１５と第２の粒状体１８との間に位置する釣り糸１１が、小さくなっていたループ１４を押し広げる。そして、ループ１４は、第１の粒状体１５が潜り抜けることができる大きさに広がる。
ループ１４が広がると、図９に示すように、第１の粒状体１５は、第２の粒状体１８側に引っ張られてループ１４を潜り抜けてしまう。第１の粒状体１５の表面は、滑らかな曲面となっているので、第１の粒状体１５は、抵抗なく簡単にループ１４を潜り抜ける。その後さらに、釣り人が、第２の粒状体１８を引っ張ることにより、ループ１４は、道糸３０の先端の環状部分３２から抜けてしまう。そして、ハリス連結体４０と道糸３０との間の連結は、完全に解放される。
【００３４】
以上が、ハリス連結体４０と道糸３０との間の連結を解放する手順（すなわち、ハリス連結具１０と道糸３０との間の連結を解放する手順）である。
ハリス連結体４０と道糸３０との間の連結を解放する場合、第２の粒状体１８を引っ張りさえすれば良い。このために必要な作業は、極めて簡単なものである。したがって、誰でも簡単かつ迅速に、ハリス連結体４０と道糸３０との間の連結を解放することができる。
【００３５】
これまで述べてきたことから明らかなように、古いハリス連結体４０と新しいハリス連結体４０の交換作業を、誰でも、時間をかけることなく容易に行うことができる。
なお、本実施の形態において、第１の粒状体１５の表面の色彩と、第２の粒状体１８の表面の色彩と、が、互いに異なっていても良い。両者の色彩が異なっていることによって、釣り人は、見ただけで第１の粒状体１５と第２の粒状体１８を区別でき、ハリス連結体４０と道糸３０との連結とその解放を、より確実・簡単・迅速に行うことができる。
【００３６】
本実施の形態において、第１の粒状体１５の外形は球形であるとしたが、例えば、卵形をしていても良い。
本実施の形態において、第２の粒状体１８の外形は略円筒形であるとしたが、略円筒形に限定されないことは勿論である。
本実施の形態において、道糸３０の先端に環状部分３２を形成するとしたが、替わりに、道糸３０の先端にサルカンが取り付けられていても良い。この場合、サルカンの環状部を、道糸３０の先端の環状部分３２の替わりに用いることができる。
【００３７】
なお、サルカンの環状部の内径は、第１の粒状体１５の直径よりも小さいことが必要である。こうすることにより、第１の粒状体１５がサルカンの環状部を潜り抜けてしまうことを防止でき、第１の粒状体１５は、必ずサルカンの環状部に引っ掛かり、ハリス連結体４０と道糸３０とを確実に連結することができる。
【産業上の利用可能性】
【００３８】
上記のようなハリス連結具であるので、釣りのレジャー分野において有用である。
【符号の説明】
【００３９】
１０    ハリス連結具
１１    釣り糸
１２    ハリス側端
１３    道糸側端
１４    ループ
１４Ｔ    突端部分
１４Ｆ    脚部分
１５    第１の粒状体
１６    貫通穴
１８    第２の粒状体
２０    ハリス
２１    釣り糸
２２    道糸側端
３０    道糸
３１    釣り糸
３２    環状部分
４０    ハリス連結体
【図１】
0003198111.tif 000003
【図２】
0003198111.tif 000004
【図３】
0003198111.tif 000005
【図４】
0003198111.tif 000006
【図５】
0003198111.tif 000007
【図６】
0003198111.tif 000008
【図７】
0003198111.tif 000009
【図８】
0003198111.tif 000010
【図９】
0003198111.tif 000011
【手続補正書】
【提出日】平成27年4月6日(2015.4.6)
【手続補正１】
【補正対象書類名】実用新案登録請求の範囲
【補正対象項目名】全文
【補正方法】変更
【補正の内容】
【実用新案登録請求の範囲】
【請求項１】
ハリス側端と道糸側端とを有する釣り糸と、
前記釣り糸が挿通されている貫通穴を備えて、前記釣り糸沿いに自由に移動可能な第１の粒状体と、
前記第１の粒状体よりも道糸側端側において前記釣り糸に取り付けられた第２の粒状体と、を、有し、
前記第１の粒状体の表面が、滑らかな曲面によって形成されていることを特徴とするハリス連結具。
【請求項２】
前記第１の粒状体の粒径が、前記釣り糸の道糸側端が接続される道糸に設けられたサルカンの環状部の内径よりも、大きな寸法であることを特徴とする請求項１に記載のハリス連結具。
【請求項３】
前記第１の粒状体の外形の形状と、前記第２の粒状体の外形の形状と、が互いに異なることを特徴とする請求項１または請求項２に記載のハリス連結具。
【請求項４】
前記第１の粒状体の表面が有する色彩と、前記第２の粒状体の表面が有する色彩と、が互いに異なることを特徴とする請求項１から請求項３のうちのいずれかに記載のハリス連結具。
【手続補正２】
【補正対象書類名】明細書
【補正対象項目名】００１７
【補正方法】変更
【補正の内容】
【００１７】
請求項３の考案に係るハリス連結具は、請求項１または請求項２に記載のハリス連結具であって、前記第１の粒状体の外形の形状と、前記第２の粒状体の外形の形状と、が互いに異なることを特徴とする。
【手続補正３】
【補正対象書類名】明細書
【補正対象項目名】００１８
【補正方法】変更
【補正の内容】
【００１８】
第１の粒状体の外形の形状と、第２の粒状体の外形の形状と、が、互いに異なっていれば、釣り人は、触っただけで、あるいは見ただけで、第１の粒状体と第２の粒状体を容易に区別できる。釣り人は、ハリス連結具の釣り糸の道糸側端部分と、道糸と、の連結を解放する際、間違えずに素早く第２の粒状体を引っ張ることができる。